(57)【要約】【課題】セーブ運転とおさえめ運転とを併用する場合であっても、暖房運転が長時間に渡って停止することがない温風暖房機を提供する。【解決手段】設定温度スイッチ２９から入力された温度を当初の目標温度として設定する目標温度設定部４０と、温度センサ１３が検出した室温と目標温度が一致するよう目標燃焼量を決定する目標燃焼量決定部４６と、室温が目標温度に到達してから所定時間経過後、目標温度設定部４０に目標温度を所定温度低下させて設定させるセーブ運転設定部４１と、室温が目標温度よりも所定温度以上高くなったとき、室温が運転再開温度に下がるまで、目標燃焼量を制限するおさえめ運転設定部４７を温風暖房機が備え、おさえめ運転設定部４７が目標燃焼量を制限した場合、室温が下降して運転再開温度以下になるまで、目標温度設定部４０が目標温度を低下させた設定をしない。【選択図】図４
2010002063.tif 000002
【特許請求の範囲】
【請求項１】
加熱源と、
該加熱源により加熱された空気を室内に送出する送風ファンと、
室温を検出する温度センサと、
設定温度を入力する設定温度入力手段と、
該設定温度入力手段に入力された設定温度を当初の目標温度として設定する目標温度設定手段と、
前記温度センサの検出温度と前記目標温度とが一致するように、前記加熱源の加熱量を決定する加熱量決定手段と、
前記検出温度が前記目標温度に到達してから所定時間経過後、前記目標温度設定手段に前記目標温度を所定温度低下させて設定させるセーブ運転設定手段と、
前記検出温度が前記目標温度よりも所定温度以上高くなったとき、前記検出温度が前記目標温度に所定の対応をした加熱再開温度に下がるまで、前記加熱源の加熱量を制限するおさえめ運転設定手段とを備え、
前記おさえめ運転設定手段が前記加熱源の加熱量を制限した場合、前記検出温度が下降して前記加熱再開温度以下になるまで、前記セーブ運転設定手段が前記目標温度設定手段に前記目標温度を低下させて設定させないことを特徴とする温風暖房機。
【請求項２】
前記セーブ運転設定手段及び前記おさえめ運転設定手段のオン・オフを、それぞれ独立して設定することが可能な設定入力手段を備えることを特徴とする請求項１記載の温風暖房機。
【請求項３】
前記セーブ運転設定手段及び前記おさえめ運転設定手段のオン・オフを、共通して設定することが可能な単独の設定入力手段を備えることを特徴とする請求項１記載の温風暖房機。
【発明の詳細な説明】
【技術分野】
【０００１】
本発明は、温風暖房機に関し、特に、セーブ運転とおさえめ運転とを併用することが可能な温風暖房機に関する。
【背景技術】
【０００２】
例えば、温風暖房機であるガスファンヒータにおいては、本体ケース内に、ガスバーナと、送風ファンとを備え、送風ファンの回転動作により室内空気を吸引すると共に、ガスバーナにより加熱された空気を室内に送風することで、室温を上昇させ暖房運転を行っている。
【０００３】
そして、温調機能を有する温風暖房機にあっては、温度設定スイッチにより使用者が設定した目標温度と、室内空気の吸引口の近傍に設けられた室温センサで検出される実際の室温とが略一致するように、ガスバーナの燃焼量と送風ファンの送風量が調節される。
【０００４】
特許文献１を参照するように、セーブ運転機能（省燃費運転機能ともいう。）を備えた温風暖房機も知られている。これは、温度センサが検出した室温が目標温度に到達した後、時間の経過に伴って、目標温度を若干低下させるようにしたものである。具体的には、室温が目標温度に到達してから３０分経過したときに目標温度を１度下げ、その後３０分経過したとき、さらに１度下げるようにしたものがある。
【０００５】
また、目標温度を一定温度ずつ下げるようにしたものの他に、暖房負荷の大きさに応じて目標温度の低下度合いを変化させるもの、例えば暖房運転開始時の室温と暖房運転開始後の室温の上昇度合いとに応じて、セーブ運転における目標温度の低下度合いを変化させるようにしたものもある。
【０００６】
このように、目標温度を若干低下させても、使用者の体感温度はさほど変わらない。そのため、温風暖房機にセーブ運転機能を持たせることで、ガスバーナの燃焼量を減らし、使用者に不快感を生じさせることなく、燃費を向上させることができる。
【０００７】
一方、おさえめ運転機能（オン・オフ運転機能ともいう。）を備えた温風暖房機も知られている。これは、ガスバーナの燃焼量を最小にしても温度センサの検出温度が上昇し続けた場合、ガスバーナの燃焼運転を中断することにより、過剰な暖房を防止して、室温を目標温度に略一致させるよう温調機能を補助するものである。具体的には、室温が目標温度よりも所定温度以上高くなったとき、ガスバーナの燃焼運転を停止し、停止後、室温が目標温度付近に設定された加熱再開温度まで下がったときにガスバーナの燃焼運転を再開するようにしている。
【０００８】
また、特許文献２を参照するように、セーブ運転機能とおさえめ運転機能を併用することが可能な温風暖房機も知られている。この温風暖房機においては、セーブ運転にて下降する温度を、おさえめ運転にてガスバーナの燃焼運転を停止する際の前記所定温度よりも小さく設定している。
【特許文献１】特開平８−１８９７０８号公報
【特許文献２】特開平１１−２３０６４号公報
【発明の開示】
【発明が解決しようとする課題】
【０００９】
しかしながら、上述したセーブ運転機能とおさえめ運転機能を併用した場合、春先の外気温度と室温の差が小さいときなど暖房負荷が小さい場合、以下の不都合が生じていた。すなわち、おさえめ運転により、室温が目標温度よりも所定温度以上高くなってガスバーナの燃焼運転が停止した後、室温は徐々に下がるが、その温度下降がセーブ運転による目標温度の低下よりも遅いことがある。このとき、室温が加熱再開温度に達することなく、ガスバーナの燃焼運転が長時間に渡って停止し、使用者が温風暖房機に不具合が発生したと考え得るという不都合が生じていた。
【００１０】
本発明は、上記事情に鑑み、セーブ運転とおさえめ運転とを併用する場合であっても、加熱源の加熱運転が長時間に渡って停止することがない温風暖房機を提供することを目的とする。
【課題を解決するための手段】
【００１１】
本発明の温風暖房機は、該加熱源により加熱された空気を室内に送出する送風ファンと、室温を検出する温度センサと、設定温度を入力する設定温度入力手段と、該設定温度入力手段に入力された設定温度を当初の目標温度として設定する目標温度設定手段と、前記温度センサの検出温度と前記目標温度とが一致するように、前記加熱源の加熱量を決定する加熱量決定手段と、前記検出温度が前記目標温度に到達してから所定時間経過後、前記目標温度設定手段に前記目標温度を所定温度低下させて設定させるセーブ運転設定手段と、前記検出温度が前記目標温度よりも所定温度以上高くなったとき、前記検出温度が前記目標温度に所定の対応をした加熱再開温度に下がるまで、前記加熱源の加熱量を制限するおさえめ運転設定手段とを備え、前記おさえめ運転設定手段が前記加熱源の加熱量を制限した場合、前記検出温度が下降して前記加熱再開温度以下になるまで、前記セーブ運転設定手段が前記目標温度設定手段に前記目標温度を低下させて設定させないことを特徴とする。
【００１２】
本発明の温風暖房機によれば、セーブ運転設定手段とおさえめ運転設定手段とが共にオン設定されているとき、おさえめ運転設定手段が加熱源の加熱量を制限した場合、検出温度が下降して加熱再開温度以下になるまで、セーブ運転設定手段が目標温度設定手段に目標温度を低下させて設定させない。そのため、春先の外気温度と室温の差が小さいときなど暖房負荷が小さい場合、検出温度が目標温度よりも所定温度以上高くなり加熱源の加熱量が制限されてからの室温の温度下降が遅いと、検出温度が目標温度に到達してから所定時間経過しても、検出温度が加熱再開温度以下になったことがない限り目標温度が低下しない。よって、検出温度が加熱再開温度に達することなく、加熱源の加熱が長時間に渡って制限され、使用者が温風暖房機に不具合が発生したと考え得るという不都合を確実に解消することができる。
【００１３】
なお、「前記検出温度が前記目標温度に到達してから所定時間経過後、前記目標温度設定手段に前記目標温度を所定温度低下させて設定させる」とは、検出温度が前記目標温度に到達してから予め定められた所定時間が経過した後、当該所定時間に一意的に対応して予め定められた所定温度だけ目標温度を低下させる設定を目標温度設定手段に行わせることを意味する。また、これらの所定時間と所定温度の組み合わせは１つでも、複数であってもよい。また、当初の目標温度からの低下温度幅に制限を設けてもよい。また、所定時間は、検出温度が目標温度に到達してからの累計時間であるが、この場合の目標温度は、目標温度設定手段で設定された当初の目標温度であっても、当該当初の目標温度からセーブ運転設定手段により所定温度低下された目標温度であってもよい。
【００１４】
さらに、「目標温度に所定の対応をした加熱再開温度」とは、加熱再開温度が目標温度に対応して一意的に定まることを意味する。加熱再開温度は、目標温度と同一、又は目標温度に微小な所定温度、例えば０．５度を増減させるなど、予め定められた方法により、目標温度付近に設定される。また、加熱再開温度は、外気温度や室温の室温上昇速度等を加味して設定されるものであってもよい。
【００１５】
さらに、「加熱源の加熱量を制限する」とは、加熱量決定手段が通常決定する加熱源の加熱量よりも加熱量を抑制すること意味する。例えば、加熱源の加熱量を０として加熱を中断する、加熱源の加熱量を断続的に０として間欠加熱する、加熱量決定手段が決定した加熱源の加熱量を半減することなどが含まれる。
【００１６】
また、本発明の温風暖房機において、前記セーブ運転設定手段及び前記おさえめ運転設定手段のオン・オフを、それぞれ独立して設定することが可能な設定入力手段を備えることが好ましい。
【００１７】
この場合、使用者は、自分の好み等に応じて、セーブ運転設定手段及びおさえめ運転設定手段のオン・オフを、自由に組み合わせ設定することができる。
【００１８】
また、本発明の温風暖房機において、前記セーブ運転設定手段及び前記おさえめ運転設定手段のオン・オフを、共通して設定することが可能な単独の設定入力手段を備えることも好ましい。
【００１９】
この場合、使用者は、セーブ運転設定手段及びおさえめ運転設定手段のオン・オフを必ず合わせて設定することになるので、上記不都合を解消することによる利益が大きい。また、セーブ運転設定手段又はおさえめ運転設定手段をオン設定しても、条件によっては、省燃費効果がない場合がある。すなわち、セーブ運転設定手段をオン設定しても、加熱源の最小の加熱量による暖房能力よりも暖房負荷が小さい場合には、それ以上、暖房能力を下げることができないので、省燃費効果がない。一方、おさえめ運転設定手段をオン設定しても、設定温度より室温が高くなると、加熱源の最小の加熱量による暖房能力よりも暖房負荷が大きい場合には、加熱源の加熱量が制限されないので、省燃費効果がない。このような場合、他の運転設定手段をオン設定すればよいが、暖房負荷に応じた適切な運転設定を一般の使用者が選択することは困難である。そこで、セーブ運転設定手段及びおさえめ運転設定手段を共にオン設定可能な単独の設定入力手段を備え、且つ上記不都合を解消したことにより、一般の使用者が運転設定の選択に迷うことなく、省燃費効果を確実に発揮可能な運転設定を確実に設定することができる。
【発明を実施するための最良の形態】
【００２０】
本発明の第１実施形態に係る温風暖房機Ａを、図１〜図１０を参照して説明する。
【００２１】
図１を参照して、温風暖房機Ａは、室内に設置される本体ケース１内に、ダクト２、送風ファン３、ガスバーナ（加熱源）４、給気ダクト５、ガス供給管６、及び制御ユニット７を備えている。
【００２２】
ダクト２は、温風の送風路を構成するものであり、室内空気ｓを取り込むための吸気口８を本体ケース１の背面に開口し、本体ケース１の前面下部において温風の吹出口９を開口している。吸気口８には塵や埃等がダクト２内に流入するのを防ぐためにエアフィルタ１０が着脱自在に取付けられている。吹出口９には、その開口度合いを調節する可動式ルーバ１１が取付けられ、この可動式ルーバ１１を駆動するためのギヤドモータ１２が設けられている。
【００２３】
送風ファン３は、通電電流に比例して回転数が変化するファンモータ１４と、ダクト２内に吹出口９に臨んで配置され、ファンモータ１４により回転駆動される回転羽根１５とを有し、回転羽根１５の回転により吸気口８からダクト２内に室内空気ｓを吸引する。そして、吸引した室内空気ｓをダクト２内に組み込まれたガスバーナ４の燃焼排気ｈと混合し、それを温風ｍとして吹出口９から室内に送出する。この送風ファン３には、ファンモータ１４の回転数を検出するホール素子等により構成される回転数センサ１６が設けられ、回転数センサ１６は、ファンモータ１４の回転数に応じた信号を制御ユニット７に出力する。
【００２４】
ダクト２内に組み込まれたガスバーナ４は、その燃焼胴１７内に燃焼プレート１８を配し、燃焼用空気と燃料ガスとの混合気に点火するための点火電極１９を燃焼プレート１８の近傍に配している。ガスバーナ４の燃焼排気ｈは燃焼胴１７からダクト２内に排出される。また、燃焼プレート１８の下流側には燃焼炎の有無を検知するための熱電対２０が配置される。熱電対２０は、ガスバーナ４の燃焼炎に晒されたときに、燃焼炎の温度に応じた熱起電力を発生し、その熱起電力を制御ユニット７に出力する。
【００２５】
給気ダクト５は、室内空気（燃焼用空気）ｓと燃料ガスとをガスバーナ４に供給するための通路であり、ガスバーナ４と燃焼胴１７内と連通し且つダクト２と画成して本体ケース１内に組み込まれ、本体ケース１の背面で開口した室内空気ｓの吸気口２１を有している。そして、給気ダクト５のガスバーナ４側の箇所には、ガス供給管６の先端に取付けられたノズル２２が設けられている。給気ダクト５には、送風ファン３の回転作動により吸気口２１から室内空気ｓが吸引され、吸引された室内空気ｓがガス供給管６のノズル２２から噴出される燃料ガスと混合されて、その混合気がガスバーナ４に供給される。なお、吸気口２１は、ダクト２の吸気口８と共にエアフィルタ１０により覆われている。
【００２６】
また、給気ダクト５の内部の吸気口２１付近の箇所には、この吸気口２１に臨んでサーミスタにより構成された温度センサ１３が取付けられている。この温度センサ１３は、温風暖房機Ａの暖房運転中、常時定期的に検出した室温（検出温度）Ｔrを示す信号を制御ユニット７に出力する。
【００２７】
ガス供給管６には、その上流側より、電磁弁２４，２５及び電磁比例弁２６が順に配設されている。電磁弁２４，２５は制御ユニット７からの通電により開弁するものであり、通電が停止されると閉弁状態となって燃料ガスの通過を遮断する。電磁比例弁２６は、制御ユニット７からの通電電流の大きさに伴って開度が増大する弁であり、ガスバーナ４への燃料ガスの供給量を調整する。
【００２８】
図２及び図３を参照して、本体ケース１の外面部には操作パネル２７が設けられている。操作パネル２７には、運転スイッチ２８、温度設定スイッチ（設定温度入力手段）２９、セーブ運転スイッチ（設定入力手段）３０、おさえめ運転スイッチ（設定入力手段）３１等の各種スイッチ、及び表示部３２が配設されている。なお、運転スイッチ２８、セーブ運転スイッチ３０及びおさえめ運転スイッチ３１の各周囲には発光部が設けられており、これらのスイッチのオン操作に応じて発光部が発光し、使用者がオン・オフの設定状態を確認することができる。
【００２９】
運転スイッチ２８は、使用者のオン・オフ操作により温風暖房機Ａの図示しない主電源のオン・オフを示す信号を制御ユニット７に出力する。温度設定スイッチ２９は、希望室温を設定するスイッチであり、使用者の所定の操作により、設定温度Ｔaが例えば１度単位で増減され設定される。温度設定スイッチ２９は、設定された設定温度Ｔaを示す信号を制御ユニット７に出力する。
【００３０】
セーブ運転スイッチ３０は、室温Ｔrが設定温度Ｔaに到達した後、自動的に目標温度Ｔtを所定温度ΔＴ1だけ低下させるセーブ運転機能を設定するスイッチであり、使用者のオン・オフ操作により、セーブ運転機能設定の有無を示す信号を制御ユニット７に出力する。おさえめ運転スイッチ３１は、目標温度Ｔtで暖房運転のオン・オフを自動的にコントロールするおさえめ運転機能を設定するスイッチであり、使用者のオン・オフ操作により、おさえめ運転機能設定の有無を示す信号を制御ユニット７に出力する。セーブ運転スイッチ３０及びおさえめ運転スイッチ３１は、それぞれ独立して、セーブ運転機能及びおさえめ運転機能のオン・オフを設定することができる。
【００３１】
表示部３２は、液晶パネルやデジタル表示器等からなり、温度センサ１３が検出した現在の室温Ｔrや、温度設定スイッチ２９から設定された設定室温Ｔaなどを表示する。
【００３２】
図４を参照して、制御ユニット７は、マイクロコンピュータ等を用いて構成されたものであり、目標温度設定部（目標温度設定手段）４０、セーブ運転設定部（セーブ運転設定手段）４１、温調制御部４２、燃焼制御部４３、及び送風制御部４４を備える。また、制御ユニット７には、タイマ４５が接続されている。
【００３３】
目標温度設定部４０は、温度設定スイッチ２９により設定された当初の設定温度Ｔaと、セーブ運転設定部４１による設定とから、暖房運転の目標温度Ｔtを設定する。
【００３４】
セーブ運転設定部４１は、セーブ運転スイッチ３０がオン操作されているとき、省燃費運転を行うために、室温Ｔrが目標温度Ｔtに到達してから、所定時間後、目標温度Ｔtを所定温度ΔＴ1低下させるセーブ運転機能の設定を目標温度設定部４０に対して行う。セーブ運転設定部４１は、ここでは、室温Ｔrが目標温度Ｔtに到達してから、３０分、１時間経過後、すなわち所定時間Δｔ（３０分）経過毎に、目標温度Ｔtをそれぞれ１度低下させる設定指示を目標温度設定部４０に対して出力する。なお、セーブ運転設定部４１は、目標温度Ｔtを所定回数、例えば２回だけ、ここでは、最大累計２度まで低下させるようになっている。
【００３５】
温調制御部４２は、目標温度設定部４０により設定された目標温度Ｔtが、温度センサ１３が検出した室温Ｔrと略一致するように、制御を行う。温調制御部４２は、目標燃焼量決定部（加熱量決定手段）４６及びおさえめ運転設定部（おさえめ運転設定手段）４７を備える。
【００３６】
目標燃焼量決定部４６は、目標温度Ｔtが室温Ｔrと略一致するように、ガスバーナ４の目標燃焼量（加熱量）を決定する。
【００３７】
おさえめ運転設定部４７は、おさえめ運転スイッチ３１がオン操作されているとき、過剰な暖房を防止するために、ガスバーナ４の燃焼を自動的に中断するおさえめ運転機能の設定を目標燃焼量決定部４１に対して行う。目標燃焼量決定部４６にて決定された目標燃焼量により、通常、室温Ｔrは目標温度Ｔtから０．５度程度の範囲内で安定する。しかし、目標温度Ｔtが低い場合等、ガスバーナ４の燃焼量を最小にしても室温Ｔrが上昇し続け、目標温度Ｔtより所定温度ΔＴ2、例えば２度高い運転中断温度（加熱中断温度）Ｔcに到達したときには、ガスバーナ４の目標燃焼量を０としてガスバーナ４の燃焼運転を中断させ、室温Ｔrが目標温度Ｔtに対応した運転再開温度（加熱再開温度）Ｔsまで下がったときにガスバーナ４の燃焼運転を再開させる、いわゆるオン・オフ制御の設定を行う。運転再開温度Ｔsは、目標温度Ｔtに対応して目標温度Ｔt付近に設定され、ここでは、目標温度Ｔtと同一に設定される。なお、おさえめ運転機能が設定されガスバーナ４の燃焼運転が中断された場合、室温Ｔrが下降して運転再開温度Ｔs以下になるまで、セーブ運転設定部４１は、目標温度設定部４０に対して目標温度Ｔtを低下させる設定を出力しない。
【００３８】
燃焼制御部４３は、目標燃焼量決定部４６が決定した目標燃焼量で、ガスバーナ４が燃焼するように、ガス供給管６に設けられた電磁弁２４，２５や比例制御弁２６、並びに点火器１９を通電制御することで、ガスバーナ４の点火・消火、燃焼量の調節（燃料ガスの供給量の調節）等を行う。また、熱電対２０の熱起電力の出力から、ガスバーナ４の点火・消火の確認、及び燃焼中の失火検出を行う。
【００３９】
送風制御部４４は、燃焼制御部４３により設定された、ガスバーナ４の燃焼量に応じた目標回転速度（ガスバーナ４への燃焼用空気の供給量に対応）でファンモータ１４が回転するように、ファンモータ１４への供給電流量を調節する。すなわち、目標回転速度と、回転速度センサ１６により検出される実際のファンモータ１４の回転速度とが一致するように、ファンモータ１４への供給電流量を調節する。
【００４０】
次に、図５及び図６のフローチャートを参照して、制御ユニット７による温風暖房機Ａの制御動作について説明する。
【００４１】
図５を参照して、使用者が運転スイッチ２８をオン操作すると、制御ユニット７による温風暖房機Ａの制御動作が開始される（ＳＴＥＰ１）。そして、温度設定スイッチ２９にて設定された設定温度Ｔaが目標温度設定部４０に入力され、目標温度設定部４０は、当該設定温度Ｔaを暖房運転の当初の目標温度Ｔtとして設定する（ＳＴＥＰ２）。
【００４２】
次に、制御ユニット７によるガスバーナ４の点火が行われる（ＳＴＥＰ３）。具体的には、まず、ガスバーナ４を燃焼させる前に、送風制御部４４がファンモータ１４を所定時間回転動作させて、プリパージを行う。その後、燃焼制御部４３が電磁弁２４，２５を開弁し比例制御弁２６の開度を最大とし、送風制御部４４がファンモータ１４の回転速度を最大とした上で、点火器１９に通電して、ガスバーナ４の点火を行う。燃焼制御部４３は、点火器１９に通電開始してから所定時間、例えば３０秒経過するまでに、ガスバーナ４の着火を熱電対２０の熱起電力レベルから検出したときは、最大燃焼量での暖房運転を１分間継続する。一方、ガスバーナ４の着火を検出する前に、所定時間経過したときには、着火失敗と判断して、暖房運転を中止する。
【００４３】
次に、温調制御部４２が温調制御する暖房運転が開始される（ＳＴＥＰ４）。具体的には、まず、目標燃焼量決定部４６が、目標温度設定部４０にて設定された目標温度Ｔtと、温度センサ１３にて検出された室温Ｔrとの差に基づいて、ガスバーナ４の目標燃焼量を決定する。そして、燃焼制御部４３は、決定された目標燃焼量に応じて、比例制御弁２６の開度を可変する。また、送風制御部４４は、決定された目標燃焼量に応じて、ファンモータ１４の目標回転速度を可変し、目標回転速度と、回転速度センサ１６により検出される実際の回転速度とが一致するように、ファンモータ１４への通電量を調節する。これにより、室温Ｔrが目標温度Ｔtに近づくよう温調制御された暖房運転が行われる。その後、室温Ｔrは徐々に上昇するが、室温Ｔrが目標温度Ｔtを超えたと判断されるまで（ＳＴＥＰ５：ＮＯ）、温調制御部４２が温調制御する暖房運転が続行される。
【００４４】
室温Ｔrが目標温度Ｔtを超えたと判断した場合（ＳＴＥＰ５：ＹＥＳ）、目標燃焼量決定部４６がガスバーナ４の目標燃焼量が最小量となるように決定すると共に、セーブ運転機能が設定されているか否かを判断する（ＳＴＥＰ６）。具体的には、セーブ運転スイッチ３０がオン操作されているか否かに基づいて判断する。
【００４５】
セーブ運転機能が設定されていないと判断した場合（ＳＴＥＰ６：ＮＯ）、おさえめ運転機能が設定されているか否かを判断する（ＳＴＥＰ７）。具体的には、おさえめ運転スイッチ３１がオン操作されているか否かに基づいて判断する。おさえめ運転機能が設定されていないと判断した場合（ＳＴＥＰ７：ＮＯ）、すなわち、セーブ運転機能もおさえめ運転機能も設定されていない場合、目標温度Ｔtが変わることなく、温調制御部４２が温調制御する暖房運転が続行される。
【００４６】
一方、おさえめ運転機能が設定されていると判断した場合（ＳＴＥＰ７：ＹＥＳ）、すなわち、おさえめ運転機能のみが設定されている場合も、目標温度Ｔtが変わることなく、温調制御部４２が温調制御する暖房運転が行われる。温度センサ１３により検出された室温Ｔrが、おさえめ運転設定部４７にて設定された運転中断温度Ｔcを超えると判断されるまで（ＳＴＥＰ８：ＮＯ）、そのまま暖房運転が続行される。室温Ｔrが運転中断温度Ｔcを超えたと判断した場合（ＳＴＥＰ８：ＹＥＳ）、目標燃焼量決定部４６はガスバーナ４の目標燃焼量を０として、ガスバーナ４の消灯を行い、暖房運転が停止される（ＳＴＥＰ９）。そして、温度センサ１３により検出された室温Ｔrが、おさえめ運転設定部４７にて設定された運転再開温度Ｔs以下であると判断されるまで（ＳＴＥＰ１０：ＮＯ）、暖房運転は停止される（ＳＴＥＰ９）。室温Ｔtが運転再開温度Ｔs以下になったと判断した場合（ＳＴＥＰ１０：ＹＥＳ）、ガスバーナ４の点火が行われ（ＳＴＥＰ３）、暖房運転が再開される（ＳＴＥＰ４）。
【００４７】
他方、セーブ運転機能が設定されていると判断した場合（ＳＴＥＰ６：ＹＥＳ）、図６を参照するように、タイマ４５をリセットしてから計時を開始させる（ＳＴＥＰ１１）。すなわち、タイマ４５は、室温Ｔrが目標温度Ｔtを超えたときから計時を開始する。そして、おさえめ運転機能が設定されているか否かを判断する（ＳＴＥＰ１２）。おさえめ運転機能が設定されていないと判断した場合（ＳＴＥＰ１２：ＮＯ）、すなわち、セーブ運転機能のみが設定されている場合、タイマ４５の計時が所定時間Δｔ経過した後（ＳＴＥＰ１３：ＹＥＳ）、セーブ運転設定部４１が目標温度Ｔtを所定温度ΔＴ1低下させる（ＳＴＥＰ１４）。その後、この低下させた新たな目標温度Ｔtに室温Ｔrが近づくように温調制御部４２が温調制御する暖房運転が行われる。
【００４８】
一方、おさえめ運転機能が設定されている場合（ＳＴＥＰ１２：ＹＥＳ）、すなわち、セーブ運転機能とおさえめ運転機能が共に設定されている場合、温度センサ１３により検出された室温Ｔrが、おさえめ運転設定部４７にて設定された運転中断温度Ｔcを超えたと判断されるまでに（ＳＴＥＰ１５：ＮＯ）、タイマ４５の計時が開始から所定時間Δｔ経過すると（ＳＴＥＰ１３：ＹＥＳ）、セーブ運転設定部４１が目標温度Ｔtを所定温度ΔＴ1低下させる設定を行う（ＳＴＥＰ１４）。これに伴い、運転中断温度Ｔc及び運転再開温度Ｔsがそれぞれ所定温度ΔＴ1ずつ低下する。その後、この低下させた新たな目標温度Ｔtに室温Ｔrが近づくように温調制御部４２が温調制御する暖房運転が行われる。このように、おさえめ運転機能が設定されている場合であっても、室温Ｔrが運転中断温度Ｔcを超えないときは、おさえめ運転機能が設定されていない場合と同様な制御が行われる。
【００４９】
一方、室温Ｔrが運転中断温度Ｔcを超えたと判断した場合（ＳＴＥＰ１５：ＹＥＳ）、目標燃焼量決定部４６はガスバーナ４の目標燃焼量を０に決定し、ガスバーナ４が消灯され、暖房運転が停止され（ＳＴＥＰ１６）、タイマ４５の計時が停止される（ＳＴＥＰ１７）。そして、室温Ｔrが運転再開温度Ｔs以下であると判断されるまで（ＳＴＥＰ１８：ＮＯ）、暖房運転は中断され、タイマ４５の計時は保持される。室温Ｔrが運転再開温度Ｔs以下になったと判断した場合（ＳＴＥＰ１８：ＹＥＳ）、ＳＴＥＰ３と同様にガスバーナ４の点火が行われ（ＳＴＥＰ１９）、ＳＴＥＰ４と同様に暖房運転が再開され（ＳＴＥＰ２０）、タイマ４５の計時も保持が解除され、計時が再開される（ＳＴＥＰ２１）。そして、タイマ４５の計時が所定時間Δｔ経過したとき（ＳＴＥＰ２２：ＹＥＳ）、セーブ運転設定部４１が目標温度Ｔtを所定温度ΔＴ1低下させる設定を行う（ＳＴＥＰ１４）。これに伴い、運転中断温度Ｔc及び運転再開温度Ｔsがそれぞれ所定温度ΔＴ1ずつ低下する。その後、この低下させた新たな目標温度Ｔtに室温Ｔrが近づくように温調制御部４２が温調制御する暖房運転が行われる。このように、セーブ運転機能とおさえめ運転機能とが共に設定されている場合、室温Ｔrが運転再開温度Ｔs以下になるまで、目標温度Ｔt、運転中断温度Ｔｃ及び運転再開温度Ｔsが低下しない。
【００５０】
図７から図１０は、温風暖房機Ａの制御ユニット７の制御による温度変化を示すグラフである。図中、Ｔtoは、温度設定スイッチ２９にて設定された設定温度Ｔaでもあり、当初の目標温度Ｔtである。Ｔcoは、おさえめ運転設定部４７が当初の目標温度Ｔtoに所定温度ΔＴ2を加えて設定した当初の運転中断温度Ｔcである。なお、運転再開温度Ｔsは、目標温度Ｔtと同一に設定されているので、目標温度Ｔtと等しくなっている。
【００５１】
セーブ運転とおさえめ運転を併用した場合の温度変化を、図７のグラフと図５及び図６のフローチャートを参照して説明する。暖房運転が開始されると（ＳＴＥＰ４）、温度センサ１３により検出される室温Ｔrが徐々に上昇する。室温Ｔrが当初の目標温度Ｔtoを超えたとき（ＳＴＥＰ５：ＹＥＳ）、タイマ４５が計時を開始する（ＳＴＥＰ１１）。そして、室温Ｔrが運転中断温度Ｔc（＝Ｔto＋ΔＴ2）を超えると（ＳＴＥＰ１５：ＹＥＳ）、暖房運転が中断され（ＳＴＥＰ１６）、タイマ４５の計時がΔｔ1で停止する（ＳＴＥＰ１７）。その後、室温Ｔrが、徐々に低下し、運転再開温度Ｔso（＝Ｔto）以下になると（ＳＴＥＰ１８：ＹＥＳ）、暖房運転が再開され（ＳＴＥＰ２０）、タイマ４５の計時もΔｔ1から再開する（ＳＴＥＰ２１）。そして、タイマ４５の計時が再開してからΔｔ2経過して所定時間Δｔ（＝Δｔ1＋Δｔ2）経過した後に（ＳＴＥＰ２２）、目標温度Ｔtが所定温度ΔＴ1低下する（ＳＴＥＰ１４）。これに伴い運転中断温度Ｔc及び運転再開温度Ｔsがそれぞれ所定温度ΔＴ1ずつ低下する。よって、春先の外気温度と室温Ｔrの差が小さいときなど、暖房負荷が小さい場合、暖房運転が中断されて（ＳＴＥＰ１６）からの室温Ｔrの温度下降が遅いときであっても、暖房運転が長時間に渡って停止することがない。
【００５２】
一方、従来の温風暖房機は、図８を参照するように、室温Ｔrが運転再開温度Ｔso以下に低下しない場合であっても、タイマが所定時間Δｔ経過後に目標温度Ｔt、運転中断温度Ｔc及び運転再開温度Ｔsを所定温度ΔＴ1ずつ低下させていた。そのため、室温Ｔrが運転再開温度Ｔsに達することなく、暖房運転が長時間に渡って停止し、使用者が温風暖房機に不具合が発生したと考え得るという不都合が生じていた。
【００５３】
次に、セーブ運転した場合の温度変化を、図９のグラフと図５及び図６のフローチャートを参照して説明する。暖房運転が開始されると（ＳＴＥＰ４）、室温Ｔrが徐々に上昇し、室温Ｔrが当初の目標温度Ｔtoを超えたとき（ＳＴＥＰ５：ＹＥＳ）、タイマ４５が計時を開始する（ＳＴＥＰ１１）。そして、タイマ４５の計時が所定時間Δｔ経過した後に（ＳＴＥＰ１３）、目標温度Ｔtを所定温度ΔＴ1低下させる（ＳＴＥＰ１４）。
【００５４】
次に、おさえめ運転した場合の温度変化を、図１０のグラフと図５のフローチャートを参照して説明する。暖房運転が開始されると（ＳＴＥＰ４）、室温Ｔrが徐々に上昇する。そして、室温Ｔrが運転中断温度Ｔc（＝Ｔto＋ΔＴ2）を超えると（ＳＴＥＰ８：ＹＥＳ）、暖房運転が中断され（ＳＴＥＰ９）、室温Ｔrが徐々に低下する。その後、室温Ｔrが運転再開温度Ｔso（＝Ｔto）以下になると（ＳＴＥＰ１０：ＹＥＳ）、暖房運転が再開される（ＳＴＥＰ４）。
【００５５】
なお、上述した温風暖房機Ａにおいては、セーブ運転機能及びおさえめ運転機能のオン・オフをそれぞれ独立して設定することができるセーブ運転スイッチ３０及びおさえめ運転スイッチ３１を備えている場合について説明した。しかしながら、セーブ運転機能及びおさえめ運転機能のオン・オフをそれぞれ独立して設定可能なものであれば、スイッチに限定されることはない。例えば、キー、ボタン、ダイヤル、タッチパネル、リモートコントローラ等を使用者が操作して、機能を設定するものであってもよい。
【００５６】
以下、本発明の第２実施形態に係る温風暖房機Ｂを、図１１〜図１４を参照して説明する。この温風暖房機Ｂは、上述した第１実施形態に係る温風暖房機Ａと類似するので、異なる点についてのみ説明する。
【００５７】
図１１を参照して、温風暖房機Ｂの操作パネル２７には、エコ運転スイッチ（設定入力手段）３３が配設されており、温風暖房機Ａとは異なり、セーブ運転スイッチ３０及びおさえめ運転スイッチ３１が配設されていない。なお、エコ運転スイッチ３３の周囲には発光部が設けられており、エコ運転スイッチ３３のオン操作に応じて発光部が発光し、使用者がオン・オフの設定状態を確認することができる。
【００５８】
エコ運転スイッチ３３は、セーブ運転機能とおさえめ運転機能を統一したエコ運転機能を設定するスイッチであり、使用者のオン・オフ操作により、エコ運転機能設定の有無を示す信号を制御ユニット７に出力する。図１２を参照して、エコ運転スイッチ３３は、制御ユニット７を構成するセーブ運転設定部４１とおさえめ運転設定部４７に信号を出力する。
【００５９】
次に、図１３及び図１４のフローチャートを参照して、制御ユニット７による温風暖房機Ｂの制御動作について説明する。
【００６０】
図１３を参照して、使用者が運転スイッチ２８をオン操作すると、制御ユニット７による温風暖房機Ｂの制御動作が開始される（ＳＴＥＰ１）。そして、温度設定スイッチ２９にて設定された設定温度Ｔaが目標温度設定部４０に入力され、目標温度設定部４０は、当該設定温度Ｔaを暖房運転の当初の目標温度Ｔtとして設定する（ＳＴＥＰ２）。
【００６１】
次に、制御ユニット７によるガスバーナ４の点火が行われ（ＳＴＥＰ３）、温調制御部４２が温調制御する暖房運転が開始される（ＳＴＥＰ４）。
【００６２】
室温Ｔrが目標温度Ｔtを超えたと判断した場合（ＳＴＥＰ５：ＹＥＳ）、目標燃焼量決定部４６がガスバーナ４の目標燃焼量が最小量となるように決定すると共に、エコ運転機能が設定されているか否かを判断する（ＳＴＥＰ３１）。具体的には、エコ運転スイッチ３３がオン操作されているか否かに基づいて判断する。
【００６３】
エコ運転機能が設定されていないと判断した場合（ＳＴＥＰ３１：ＮＯ）、目標温度Ｔtが変わることなく、温調制御部４２が温調制御する暖房運転が続行される（ＳＴＥＰ４）。
【００６４】
一方、エコ運転機能が設定されていると判断した場合（ＳＴＥＰ３１：ＹＥＳ）、図１４を参照して、タイマ４５をリセットしてから計時を開始させる（ＳＴＥＰ３２）。すなわち、タイマ４５は、室温Ｔrが目標温度Ｔtを超えたときから計時を開始する。室温Ｔrが運転中断温度Ｔcを超えたと判断されるまでに（ＳＴＥＰ３３：ＮＯ）、タイマ４５の計時が開始から所定時間Δｔ経過すると（ＳＴＥＰ３４：ＹＥＳ）、セーブ運転設定部４１が目標温度Ｔtを所定温度ΔＴ1低下させる設定を行う（ＳＴＥＰ３５）。これに伴い、運転中断温度Ｔc及び運転再開温度Ｔsがそれぞれ所定温度ΔＴ1ずつ低下する。その後、この低下させた新たな目標温度Ｔtに室温Ｔrが近づくように温調制御部４２が温調制御する暖房運転が行われる（ＳＴＥＰ４）。このように、室温Ｔrが運転中断温度Ｔcを超えない場合には、暖房運転が中断されず、セーブ運転機能がのみが設定されている場合と同様な制御が行われる。
【００６５】
一方、室温Ｔrが運転中断温度Ｔcを超えたと判断した場合（ＳＴＥＰ３３：ＹＥＳ）、目標燃焼量決定部４６はガスバーナ４の目標燃焼量を０に決定し、ガスバーナ４が消灯され、暖房運転が停止され（ＳＴＥＰ３６）、タイマ４５の計時が停止される（ＳＴＥＰ３７）。そして、室温Ｔrが運転再開温度Ｔs以下であると判断されるまで（ＳＴＥＰ３８：ＮＯ）、暖房運転は中断され、タイマ４５の計時は保持される。室温Ｔrが運転再開温度Ｔs以下になったと判断した場合（ＳＴＥＰ３８：ＹＥＳ）、ガスバーナ４の点火が行われ（ＳＴＥＰ３９）、暖房運転が再開され（ＳＴＥＰ４０）、タイマ４５の計時も保持が解除され、計時が再開される（ＳＴＥＰ４１）。そして、タイマ４５の計時が所定時間Δｔ経過したとき（ＳＴＥＰ４２：ＹＥＳ）、セーブ運転設定部４１が目標温度Ｔtを所定温度ΔＴ1低下させる設定を行う（ＳＴＥＰ３５）。これに伴い、運転中断温度Ｔc及び運転再開温度Ｔsがそれぞれ所定温度ΔＴ1ずつ低下する。その後、この低下させた新たな目標温度Ｔtに室温Ｔrが近づくように温調制御部４２が温調制御する暖房運転が行われる（ＳＴＥＰ４）。このように、エコ運転機能が設定されている場合、室温Ｔrが運転再開温度Ｔs以下になるまで、目標温度Ｔt、運転中断温度Ｔｃ及び運転再開温度Ｔsが低下しない。
【００６６】
エコ運転した場合の温度変化は、図７を参照するように、セーブ運転とおさえめ運転を併用した場合の温度変化と同様になる。よって、春先の外気温度と室温Ｔrの差が小さいときなど、暖房負荷が小さい場合、暖房運転が中断されて（ＳＴＥＰ３６）からの室温Ｔrの温度下降が遅いときであっても、暖房運転が長時間に渡って停止することがない。
【００６７】
なお、上述した温風暖房機Ｂにおいては、セーブ運転機能及びおさえめ運転機能のオン・オフを統一化したエコ運転機能を設定可能なエコ運転スイッチ３３を備えている場合について説明した。しかしながら、エコ運転機能を設定可能なものであれば、スイッチに限定されることはない。例えば、キー、ボタン、ダイヤル、タッチパネル、リモートコントローラ等を使用者が操作して、エコ運転機能のオン・オフを設定するものであってもよい。
【００６８】
なお、上述した温風暖房機Ａ，Ｂにおいては、目標温度Ｔtを所定温度ΔＴ1低下させたとき、運転再開温度Ｔsも所定温度ΔＴ1低下させる場合について説明した。しかしながら、運転再開温度Ｔsは、目標温度Ｔtに所定の対応をして定まるものであり、必ずしも目標温度Ｔtと同じ所定温度ΔＴ1低下させなくともよい。
【００６９】
また、セーブ運転設定部４１が目標温度Ｔtを所定時間Δｔ経過毎に、所定温度ΔＴ1ずつ低下させる場合について説明した。しかしながら、各回毎に、所定時間Δｔや所定温度ΔＴ1が異なるものであってもよい。
【００７０】
また、おさえめ運転機能又はエコ運転機能が設定されている場合、室温Ｔrが目標温度Ｔtより所定温度ΔＴ2だけ高い運転中断温度Ｔcに到達したとき、暖房運転を中断させる場合について説明した。しかしながら、室温Ｔrが運転中断温度Ｔcに到達したとき、暖房運転を間欠運転させるものや、室温Ｔrの目標温度Ｔtからの温度差に応じて、暖房運転の中断や間欠運転等を選択するものであってもよい。
【００７１】
また、セーブ運転機能又はエコ運転機能が設定されている場合、室温Ｔrが運転中断温度Ｔｃに到達したとき、タイマ４５の計時を停止して保持し、その後、室温Ｔrが運転再開温度Ｔs以下になっていたとき、タイマ４５の保持を解除し、計時を再開する場合について説明した。しかしながら、室温Ｔrが目標温度Ｔtに到達してから所定時間Δｔ経過する毎に、室温Ｔrが運転再開温度Ｔs以下になっていたときのみ、目標温度Ｔtを所定温度ΔＴ1低下させるものであってもよい。また、室温Ｔrが運転再開温度Ｔs以下になったとき、タイマ４５の計時が所定時間Δｔ経過していた場合、直ちに目標温度Ｔtを所定温度ΔＴ1低下させると共に、タイマ４５をリセットするものであってもよい。
【図面の簡単な説明】
【００７２】
【図１】本発明の実施形態に係る温風暖房機の全体構成図。
【図２】温風暖房機の概観斜視図。
【図３】第１実施形態に係る温風暖房機の操作部の一部平面図。
【図４】第１実施形態に係る温風暖房機の制御ブロック図。
【図５】第１実施形態に係る温風暖房機の作動フローチャート。
【図６】第１実施形態に係る温風暖房機の作動フローチャート。
【図７】セーブ運転とおさえめ運転を併用した場合の、温風暖房機の温度変化を示すグラフ。
【図８】セーブ運転とおさえめ運転を併用した場合の、従来の温風暖房機の温度変化を示すグラフ。
【図９】セーブ運転した場合の、温風暖房機の温度変化を示すグラフ。
【図１０】おさえめ運転した場合の、温風暖房機の温度変化を示すグラフ。
【図１１】第２実施形態に係る温風暖房機の一部平面図。
【図１２】第２実施形態に係る温風暖房機の制御ブロック図。
【図１３】第２実施形態に係る温風暖房機の作動フローチャート。
【図１４】第２実施形態に係る温風暖房機の作動フローチャート。
【符号の説明】
【００７３】
Ａ，Ｂ…温風暖房機、１…本体ケース、２…ダクト、３…送風ファン、４…ガスバーナ（加熱源）、５…ダクト、６…ガス供給管、７…制御ユニット、１３…温度センサ、１４…ファンモータ、２７…操作パネル、２８…運転スイッチ、２９…温度設定スイッチ（設定温度入力手段）、３０…セーブ運転スイッチ（設定入力手段）、３１…おさえめ運転スイッチ（設定入力手段）、３３…エコ運転スイッチ（設定入力手段）、４０…目標温度設定部（目標温度設定手段）、４１…セーブ運転設定部（セーブ運転設定手段）、４２…温調制御部、４３…燃焼制御部、４４…送風制御部、４５…タイマ、４６…目標燃焼量決定部（加熱量決定手段）、４７…おさえめ運転設定部（おさえめ運転設定手段）。
【図１】
2010002063.tif 000003
【図２】
2010002063.tif 000004
【図３】
2010002063.tif 000005
【図４】
2010002063.tif 000006
【図５】
2010002063.tif 000007
【図６】
2010002063.tif 000008
【図７】
2010002063.tif 000009
【図８】
2010002063.tif 000010
【図９】
2010002063.tif 000011
【図１０】
2010002063.tif 000012
【図１１】
2010002063.tif 000013
【図１２】
2010002063.tif 000014
【図１３】
2010002063.tif 000015
【図１４】
2010002063.tif 000016